(57)【要約】      （修正有）【課題】筒状部材の内部に投入されたボールを誘導路に沿って落下させる知育玩具において、興味性を向上させること。【解決手段】知育玩具１は、ベース部材２と、ベース部材２の上面に立設されて周面に螺旋状の誘導路４１を有する柱状部材４と、柱状部材４の周面を覆うようにベース部材２の上面に立設され、周面の少なくとも一部が透明に構成された筒状部材５とを備え、筒状部材５の内部に投入されたボールＢを誘導路４１に沿って落下させる。柱状部材４の基端部は、当該柱状部材４の中心軸回りに回動可能な回動部４２となっている。回動部４２は、当該回動部４２の外縁よりも外側に突出するフラップ４３，４３を有する。【選択図】図１
0003192218.tif 000002
【実用新案登録請求の範囲】
【請求項１】
ベース部材と、
前記ベース部材の上面に立設され、周面に螺旋状の誘導路を有する柱状部材と、
前記柱状部材の周面を覆うように前記ベース部材の上面に立設され、周面の少なくとも一部が透明に構成された筒状部材と、
を備え、前記筒状部材の内部に投入されたボールを前記誘導路に沿って落下させる知育玩具において、
前記柱状部材の基端部は、当該柱状部材の中心軸周りに回動可能な回動部となっており、
前記回動部は、当該回動部の外縁よりも外側に突出する突出部を有することを特徴とする知育玩具。
【請求項２】
前記回動部は、周面に前記誘導路を有していないことを特徴とする請求項１に記載の知育玩具。
【請求項３】
前記突出部は、前記回動部の径方向に出没可能に構成されていることを特徴とする請求項１又は２に記載の知育玩具。
【請求項４】
前記回動部は、
回動部本体と、
前記回動部本体内の当該回動部の回動中心に配設された駆動軸と、
前記駆動軸上に一体的に取り付けられた歯車と、
を有し、
前記突出部は、
前記駆動軸と平行な回動中心周りに回動可能なように一端部が前記回動部本体に軸支されるとともに、前記歯車と噛合する歯部を当該一端部の回動中心周りに有し、
前記駆動軸により前記歯車が一の方向に回転したときに、前記歯部を通じて当該一の方向とは逆方向に回転して他端部が前記回動部本体の外縁よりも外側に突出し、
前記駆動軸により前記歯車が他の方向に回転したときに、前記歯部を通じて当該他の方向とは逆方向に回転して他端部が前記回動部本体の外縁よりも内側に没入することを特徴とする請求項３に記載の知育玩具。
【請求項５】
前記回動部は、
前記突出部が前記回動部本体と当接することにより、前記歯部を介して前記歯車の回転方向と同方向に回動するように構成され、
前記回動部本体を下方へ付勢しつつ当該回動部本体と摺動可能な付勢部材を有することを特徴とする請求項４に記載の知育玩具。
【請求項６】
前記ベース部材の上面のうち前記筒状部材の内部に位置する部分は、
前記柱状部材周りに緩やかに傾斜するスロープとなっており、
前記スロープのうち最も低い部分に、前記ボールを外部に排出させるための排出口を有することを特徴とする請求項１〜５の何れか一項に記載の知育玩具。
【請求項７】
前記排出口は、開閉可能に構成されるとともに、常態で閉状態とされ、
前記ベース部材には、前記排出口を開状態とするための操作部が設けられていることを特徴とする請求項６に記載の知育玩具。
【請求項８】
前記回動部は、前記突出部を突出させた状態で、前記スロープの登り方向に回動するように構成されていることを特徴とする請求項６に記載の知育玩具。
【考案の詳細な説明】
【技術分野】
【０００１】  本発明は、知育玩具に関する。
【背景技術】
【０００２】  従来、乳幼児の知能的発達を促すための知育玩具として、いわゆる「ボール落とし」が知られている。
この「ボール落とし」なる知育玩具は、例えば特許文献１に記載のように、周面に螺旋状の誘導路を有する柱と、この柱全体を覆う透明筒とを備えており、透明筒の上端部から投入されたボールが自重により透明筒内で誘導路に沿って柱周りに落下した後に、透明筒の底部から外部に排出されるように構成されている。
【先行技術文献】
【特許文献】
【０００３】
【特許文献１】特開２００９−１６００６３号公報
【考案の概要】
【考案が解決しようとする課題】
【０００４】  しかしながら、上記特許文献１に記載の知育玩具では、ボールが自重により誘導路に沿って落下するだけであるため、当該ボールの動きが極めて単調で興趣性に乏しく、ひいては知覚や認識力等の知能的発達の促進に乏しかった。【０００５】  本発明は、上記事情を鑑みてなされたもので、従来に比べ、興趣性を向上させることができる知育玩具を提供することを課題とする。
【課題を解決するための手段】
【０００６】  上記課題を解決するために、請求項１に記載の発明は、
ベース部材と、
前記ベース部材の上面に立設され、周面に螺旋状の誘導路を有する柱状部材と、
前記柱状部材の周面を覆うように前記ベース部材の上面に立設され、周面の少なくとも一部が透明に構成された筒状部材と、
を備え、前記筒状部材の内部に投入されたボールを前記誘導路に沿って落下させる知育玩具において、
前記柱状部材の基端部は、当該柱状部材の中心軸周りに回動可能な回動部となっており、
前記回動部は、当該回動部の外縁よりも外側に突出する突出部を有することを特徴とする。【０００７】  請求項２に記載の発明は、請求項１に記載の知育玩具において、
前記回動部は、周面に前記誘導路を有していないことを特徴とする。【０００８】  請求項３に記載の発明は、請求項１又は２に記載の知育玩具において、
前記突出部は、前記回動部の径方向に出没可能に構成されていることを特徴とする。【０００９】  請求項４に記載の発明は、請求項３に記載の知育玩具において、
前記回動部は、
回動部本体と、
前記回動部本体内の当該回動部の回動中心に配設された駆動軸と、
前記駆動軸上に一体的に取り付けられた歯車と、
を有し、
前記突出部は、
前記駆動軸と平行な回動中心周りに回動可能なように一端部が前記回動部本体に軸支されるとともに、前記歯車と噛合する歯部を当該一端部の回動中心周りに有し、
前記駆動軸により前記歯車が一の方向に回転したときに、前記歯部を通じて当該一の方向とは逆方向に回転して他端部が前記回動部本体の外縁よりも外側に突出し、
前記駆動軸により前記歯車が他の方向に回転したときに、前記歯部を通じて当該他の方向とは逆方向に回転して他端部が前記回動部本体の外縁よりも内側に没入することを特徴とする。【００１０】  請求項５に記載の発明は、請求項４に記載の知育玩具において、
前記回動部は、
前記突出部が前記回動部本体と当接することにより、前記歯部を介して前記歯車の回転方向と同方向に回動するように構成され、
前記回動部本体を下方へ付勢しつつ当該回動部本体と摺動可能な付勢部材を有することを特徴とする。【００１１】  請求項６に記載の発明は、請求項１〜５の何れか一項に記載の知育玩具において、
前記ベース部材の上面のうち前記筒状部材の内部に位置する部分は、
前記柱状部材周りに緩やかに傾斜するスロープとなっており、
前記スロープのうち最も低い部分に、前記ボールを外部に排出させるための排出口を有することを特徴とする。【００１２】  請求項７に記載の発明は、請求項６に記載の知育玩具において、
前記排出口は、開閉可能に構成されるとともに、常態で閉状態とされ、
前記ベース部材には、前記排出口を開状態とするための操作部が設けられていることを特徴とする。【００１３】  請求項８に記載の発明は、請求項６に記載の知育玩具において、
前記回動部は、前記突出部を突出させた状態で、前記スロープの登り方向に回動するように構成されていることを特徴とする。
【考案の効果】
【００１４】  本発明によれば、誘導路を有する柱状部材の基端部が当該柱状部材の中心軸周りに回動可能な回動部となっており、この回動部が当該回動部の外縁よりも外側に突出する突出部を有するので、ボールを誘導路に沿って筒状部材の底部まで落下させた後に回動部を回動させることにより、筒状部材の底部に落下したボールを突出部によって柱状部材周りに転動させることができる。したがって、ボールが自重により誘導路に沿って落下するだけであった従来に比べ、興趣性を向上させることができる。
【図面の簡単な説明】
【００１５】
【図１】知育玩具の外観図である。
【図２】回動部の側面図である。
【図３Ａ】上蓋を取り外してフラップを没入させた状態での回動部の上面図である。
【図３Ｂ】上蓋を取り外してフラップを突出させた状態での回動部の上面図である。
【図４】ボール遊動部の底面の斜視図である。
【図５】回動部によりボールがスロープ上を転動する様子を説明するための図である。
【考案を実施するための最良の形態】
【００１６】  以下、本発明の実施形態について、図面を参照して説明する。
図１は、本実施形態における知育玩具１の外観図である。
この図に示すように、知育玩具１は、いわゆる「ボール落とし」であり、後述の誘導路４１に沿ってボールＢを落下させる乳幼児向けの玩具である。具体的には、知育玩具１は、ベース部材２と、ベース部材２上に設けられたボール遊動部３とを備えている。【００１７】  このうち、ボール遊動部３は、ベース部材２の上面に立設された柱状部材４と、柱状部材４の周面を覆うようにベース部材２の上面に立設された筒状部材５と、筒状部材５の上端開口を覆う蓋部材６とを備えている。【００１８】  柱状部材４は、当該柱状部材４周りにボールＢを落下させるための誘導路４１を周面に有している。この誘導路４１は、上面視反時計回りに柱状部材４の周囲を回りつつ下方に向かう螺旋状に形成されている。
また、柱状部材４の基端部は、上下方向に沿った当該柱状部材４の中心軸周りに回動可能な回動部４２となっている。この回動部４２は、周面に誘導路４１を有しておらず、当該回動部４２の径方向に出没可能な２つのフラップ４３，４３を有している。【００１９】  図２は、回動部４２の側面図であり、図３Ａは、後述の上蓋４８を取り外してフラップ４３，４３を没入させた状態での回動部４２の上面図であり、図３Ｂは、後述の上蓋４８を取り外してフラップ４３，４３を突出させた状態での回動部４２の上面図である。
これらの図に示すように、回動部４２は、２つのフラップ４３，４３の他、回動部本体４４と、駆動軸４５と、歯車４６と、バネ４７とを有している。【００２０】  このうち、回動部本体４４は、外形が略すり鉢状に形成されており、上蓋４８と嵌合された状態で柱状部材４本体（柱状部材４のうち回動部４２を除く部分）及びベース部材２に回動可能に支持されている。また、回動部本体４４の周面には、２つのフラップ４３，４３を個別に収容する２箇所の切欠き４４ａ，４４ａが形成されている。
駆動軸４５は、図示しないモータに連結されて当該モータの回転駆動力を回動部４２に付与するものであり、回動部本体４４内の回動部４２の回動中心に配設されている。
歯車４６は、駆動軸４５上に同心状に配設され、当該駆動軸４５に一体的に取り付けられている。
バネ４７は、駆動軸４５を巻回した状態で歯車４６の下面と回動部本体４４の底面との間に配置され、下端で回動部本体４４を下方へ付勢している。このバネ４７は、歯車４６の下面及び回動部本体４４の底面の何れとも固定されておらず、これら何れに対しても摺動可能に設けられている。【００２１】  フラップ４３，４３は、回動部本体４４の切欠き４４ａ内に配設され、回動部４２の内側に位置する一端部を中心として駆動軸４５と平行な回動中心周りに回動可能なように、当該一端部が回動部本体４４及び上蓋４８に軸支されている。また、フラップ４３の一端部には、歯車４６と噛合する歯部４３１が回動中心周りに部分的に形成されている。
このような構成により、フラップ４３は、切欠き４４ａ内に没入した状態（図３Ａの状態：以下、「没入状態」という）において、歯車４６が上面視時計回りに回転すると、当該歯車４６から歯部４３１に回転力が伝達されて上面視反時計回りに回転した後に、切欠き４４ａの一端面４４ｂと当接して当該回転が規制されることにより、他端部（先端部）を回動部本体４４の外縁よりも外側に突出させた状態（図３Ｂの状態：以下、「突出状態」という）となる。また、この突出状態において、歯車４６が上面視反時計回りに回転すると、フラップ４３は、歯車４６から歯部４３１に回転力が伝達されて上面視時計回りに回転した後に、切欠き４４ａの他端面４４ｃと当接して当該回転が規制されることにより、他端部を回動部本体４４の外縁よりも内側に没入させた状態、つまり没入状態となる。また、フラップ４３は、常態で没入状態となっている。【００２２】  筒状部材５は、図１に示すように、ボール遊動部３のケースであるとともに、柱状部材４周りに転がるボールＢの外周側の転動路でもあり、ボールＢが良好に転動可能な隙間を柱状部材４との間に有しつつ当該柱状部材４と同心状に立設されている。また、筒状部材５は、遊戯者がボール遊動部３内でのボールＢの動きを視認できるように、周面のうち正面側の略半部が透明に構成されている。但し、筒状部材５の周面は、少なくとも一部が透明に構成されていればよく、例えば全部（全周面）が透明であってもよい。【００２３】  蓋部材６には、ボールＢをボール遊動部３内に投入するための投入口６１が形成されている。この投入口６１は、当該投入口６１に投入されたボールＢが誘導路４１の上端に落下する位置に形成されている。また、投入口６１内にはボールＢの通過を感知する図示しないセンサーが設けられており、当該センサーがボールＢの通過を感知すると、ベース部材２に設けられた図示しないスピーカーから所定の音声が出力されるようになっている。【００２４】  ベース部材２は、図１及び図４に示すように、その上面のうち筒状部材５の内部に位置する部分、つまりボール遊動部３の底面が、柱状部材４周りに緩やかに傾斜するスロープ２１となっている。このスロープ２１は、誘導路４１下端の下方に位置する部分が最も高くなっており、当該部分から誘導路４１に沿った方向、つまり上面視反時計回りに徐々に低くなるように傾斜している。また、スロープ２１のうち最も低い部分には、ボールＢを外部に排出させるための排出口２２が設けられている。この排出口２２は、当該排出口２２を開閉可能なシャッター２３を有するとともに、このシャッター２３によって常態で閉状態とされている。【００２５】  ベース部材２の正面側の上面には、排出ボタン２４及び回転ボタン２５が設けられている。このうち、排出ボタン２４は、図示しないシャッター開閉機構を介してシャッター２３と連結されており、当該排出ボタン２４が押下されたときに、シャッター２３が開いて排出口２２が開状態となるように構成されている。一方、回転ボタン２５は、回動部４２の駆動軸４５に連結された図示しないモータを駆動させるボタンであり、後述するように、当該回転ボタン２５が押下されたときに、回動部４２を上面視時計回りに所���回転数だけ回動させた後に、上面視反時計回りに所定回転数だけ回動させるように構成されている。また、排出ボタン２４及び回転ボタン２５が押下されたときには、図示しないスピーカーからそれぞれ所定の音声が出力されるようになっている。
また、ベース部材２の正面側の側面（前面）には、排出口２２に連通された吐出口２６が設けられており、排出口２２に落下したボールＢが当該吐出口２６から外部へ排出されるようになっている。【００２６】  続いて、知育玩具１の動作について説明する。
まず、ボールＢが蓋部材６の投入口６１からボール遊動部３（筒状部材５）の内部に投入されると、当該ボールＢは自重により誘導路４１に沿って柱状部材４周りに落下する。ボール遊動部３の底面であるスロープ２１まで落下したボールＢは、当該スロープ２１に沿って下方へ転がっていく。そして、スロープ２１の最低部である排出口２２まで到達したボールＢは、当該排出口２２がシャッター２３によって閉状態とされているので、外部に排出されることなくスロープ２１の段差部２１ａに当接して排出口２２上で停止する。【００２７】  ここで、回転ボタン２５が押下されると、回動部４２が上面視時計回りに所定回転数だけ回動した後に、上面視反時計回りに所定回転数だけ回動する。
具体的には、まず、図示しないモータが順方向に駆動されて駆動軸４５とともに歯車４６が上面視時計回りに回転し、フラップ４３，４３が上面視反時計回りに回転して常態の没入状態から突出状態となる。このとき、回動部本体４４は、バネ４７と摺動可能であるとともに当該バネ４７によって下方へ付勢されているため、歯車４６の回転力がバネ４７を介して伝達されることなくベース部材２に押し付けられる結果、フラップ４３，４３の突出動作の間には当該回動部本体４４（回動部４２）は回動しない。しかし、フラップ４３，４３が切欠き４４ａの一端面４４ｂ，４４ｂと当接して回動部本体４４と一体化すると、歯車４６の回転力が当該フラップ４３，４３（歯部４３１）を介して回動部本体４４に伝わるため、図５に示すように、回動部本体４４（回動部４２）が歯車４６の回転方向と同方向，つまり上面視時計回りに回動する。
したがって、フラップ４３，４３を突出させた状態で回動部４２が回動するため、当該フラップ４３，４３によりボールＢがスロープ２１上で柱状部材４周りに転動する。このとき、回動部４２は、上面視時計回り，すなわちスロープ２１の登り方向（ボールＢにスロープ２１を登らせる方向）に回動するので、ボールＢをスロープ２１の段差部２１ａに引っ掛けることなく滑らかに転動させることができる。【００２８】  回動部４２が上面視時計回りに所定回転数だけ回動した後、図示しないモータが逆方向に駆動されて駆動軸４５とともに歯車４６が上面視反時計回りに回転する。すると、フラップ４３，４３が上面視時計回りに回転して突出状態から没入状態に戻る。このとき、回動部本体４４は、バネ４７と摺動可能であるとともに当該バネ４７によって下方へ付勢されているため、歯車４６の回転力がバネ４７を介して伝達されることなくベース部材２に押し付けられる結果、フラップ４３，４３の没入動作の間には当該回動部本体４４（回動部４２）は回動しない。しかし、フラップ４３，４３が切欠き４４ａの他端面４４ｃ，４４ｃと当接して回動部本体４４と一体化すると、歯車４６の回転力が当該フラップ４３，４３（歯部４３１）を介して回動部本体４４に伝わるため、回動部本体４４（回動部４２）が歯車４６の回転方向と同方向，つまり上面視反時計回りに回動する。
こうして、回動部４２は、フラップ４３，４３を没入させた状態で上面視反時計回りに所定回転数だけ回動した後に、図示しないモータの停止に伴って停止する。【００２９】  排出口２２上で停止しているボールＢは、排出ボタン２４が押下され、シャッター２３が開いて排出口２２が開状態となることにより、当該排出口２２から落下して吐出口２６から外部に排出される。【００３０】  以上のように、知育玩具１によれば、ボールＢを誘導路４１に沿ってボール遊動部３（筒状部材５）の底部まで落下させた後に回動部４２を回動させることにより、ボール遊動部３の底部に落下したボールＢをフラップ４３，４３によって柱状部材４周りに転動させることができる。したがって、ボールが自重により誘導路に沿って落下するだけであった従来に比べ、興趣性を向上させることができる。【００３１】  また、フラップ４３，４３が回動部本体４４の一端面４４ｂ又は他端面４４ｃと当接することにより、回動部４２が歯部４３１を介して歯車４６の回転方向と同方向に回動するように構成されており、回動部本体４４が当該回動部本体４４と摺動可能なバネ４７によって下方へ付勢されているので、フラップ４３，４３の突出動作及び没入動作の間には回動部４２（回動部本体４４）はバネ４７に押さえ付けられて回動せず、フラップ４３，４３が突出状態又は没入状態となった後に回動する。したがって、フラップ４３，４３を確実に突出状態又は没入状態とした後に、回動部４２を回動させることができる。【００３２】  また、回動部４２が、フラップ４３，４３を突出させた状態でスロープ２１の登り方向に回動するように構成されているので、ボールＢをスロープ２１の段差部２１ａに引っ掛けることなく滑らかに転動させることができる。【００３３】  なお、本発明は、上記実施形態に限られるものではなく、発明の本質的部分を変更しない範囲内で自由に設計変更が可能である。【００３４】  例えば、上記実施形態では、使用するボールＢの個数については特に触れていないが、回動部４２によって転がすボールＢは複数あった方が、当該複数のボールＢが互いに接触する音が賑やかに発生するため、遊戯者（乳幼児）をより楽しませることができる。【００３５】  また、フラップ４３，４３が回動部４２の径方向に出没可能に構成されていることとしたが、当該フラップ４３，４３は、回動部４２（回動部本体４４）の外縁よりも外側に突出した状態で当該回動部４２に固定されていてもよい。また、この場合に、回動部４２の停止位置を常に一定としておけば、回動部４２の停止時において柱状部材４本体の誘導路４１に連なるように、回動部４２の周面に誘導路４１を設けてもよい。
【産業上の利用可能性】
【００３６】  以上のように、本発明に係る知育玩具は、ボールを誘導路に沿って単純に落下させるだけのものとは異なるボールの動きを実現して、興趣性を向上させるのに有用である。
【符号の説明】
【００３７】１          知育玩具
２          ベース部材
２１      スロープ
２１ａ  段差部
２２      排出口
２３      シャッター
２４      排出ボタン（操作部）
２５      回転ボタン
２６      吐出口
３          ボール遊動部
４        柱状部材
４１    誘導路
４２    回動部
４３  フラップ（突出部）
４３１  歯部
４４  回動部本体
４４ａ  切欠き
４４ｂ  一端面
４４ｃ  他端面
４５  駆動軸
４６  歯車
４７  バネ（付勢部材）
４８  上蓋
５        筒状部材
６        蓋部材
６１    投入口
Ｂ          ボール
【図１】
0003192218.tif 000003
【図２】
0003192218.tif 000004
【図３Ａ】
0003192218.tif 000005
【図３Ｂ】
0003192218.tif 000006
【図４】
0003192218.tif 000007
【図５】
0003192218.tif 000008